【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
通信のための装置であって、
少なくとも1つの物理リソースブロック(PRB)を含むPRBバンドルを特定し、
少なくとも1つの別のPRBバンドルのプリコーディング行列インジケータ(PMI)に対する前記PRBバンドルに関連するPMIを変化させ、
前記PMIの変化に応答して、前記PRBに関するパイロット構造を選択するように構成された処理回路であって、前記パイロット構造が前記PRBバンドルに均一に拡散されたパイロットを含む、処理回路と、
前記処理回路に結合され、前記パイロット構造の表示を送信するように構成された通信インターフェースであって、前記パイロット構造の前記表示が、前記少なくとも1つの別のPRBバンドルの前記PMIに対する前記PRBバンドルの前記PMIの前記変化の表示を含む、通信インターフェースと
を含む、装置。
【請求項２】
前記処理回路が、パイロット密度が送信期間内に経時的に異なる別のパイロット構造を決定するようにさらに構成され、前記送信期間の始端における前記パイロット密度が、前記送信期間の後の部分における前記パイロット密度よりも高い、請求項1に記載の装置。
【請求項３】
前記パイロット密度が、前記送信期間内の異なる送信時間間隔(TTI)によって異なる、請求項2に記載の装置。
【請求項４】
前記パイロット密度が、前記送信期間の間の周波数に関してさらに異なる、請求項2に記載の装置。
【請求項５】
前記送信期間の始端における前記パイロットの送信電力が、前記送信期間の後の部分における前記パイロットの送信電力よりも高い、請求項2に記載の装置。
【請求項６】
前記送信期間がトラフィックバーストに対応する、請求項2に記載の装置。
【請求項７】
前記処理回路が、
ビーム形成構成を変更し、
前記変更の結果として前記別のパイロット構造を決定する
ようにさらに構成される、請求項2に記載の装置。
【請求項８】
前記パイロット構造が復調基準信号(DMRS)のためである、請求項1に記載の装置。
【請求項９】
前記処理回路が、特定のパイロット構造が連続送信時間間隔(TTI)に関して指定されていると決定するようにさらに構成され、
前記通信インターフェースが、チャネル推定のために前のTTIからのパイロットが使用され得るという表示を送信することであって、チャネル推定のために前のTTIからのパイロットが使用され得るという前記表示が、特定のパイロット構造が連続TTIに関して指定されているという決定の結果として送信される、送信することを行うようにさらに構成される
請求項1に記載の装置。
【請求項１０】
前記パイロット構造を選択するために、前記PRBバンドルの帯域幅に基づいてパイロットに関する間隔を選択するようにさらに構成される、請求項1に記載の装置。
【請求項１１】
前記選択されたパイロット構造の前記表示が、前記プリコーディング行列インジケータ(PMI)を含む、請求項1に記載の装置。
【請求項１２】
前記選択されたパイロット構造の前記表示が、近傍リソースブロック(RB)PMI間の差異を示す、請求項1に記載の装置。
【請求項１３】
前記処理回路が、復調基準信号(DMRS)に関するトラフィック対パイロット比(TPR)を決定するようにさらに構成され、
前記通信インターフェースが、前記TPRの表示を送信するようにさらに構成される
請求項1に記載の装置。
【請求項１４】
前記TPRが、変調およびコーディング方式(MCS)、ランク、またはレートのうちの少なくとも1つまたは複数に基づいて決定される、請求項13に記載の装置。
【請求項１５】
前記処理回路が、前記PRBバンドルに関する前記PMIの独立したネットワークの選択を実行するようにさらに構成される、請求項1に記載の装置。
【請求項１６】
前記通信インターフェースが、前記PMIを送信するようにさらに構成され、前記PMIが前記パイロット構造を示す、請求項1に記載の装置。
【請求項１７】
通信の方法であって、
少なくとも1つの物理リソースブロック(PRB)を含むPRBバンドルを特定するステップと、
少なくとも1つの別のPRBバンドルのプリコーディング行列インジケータ(PMI)に対する前記PRBバンドルに関連するPMIを変化させるステップと、
前記PMIの変化に応答して、前記PRBに関するパイロット構造を選択するステップであって、前記パイロット構造が前記PRBバンドルに均一に拡散されたパイロットを含む、ステップと、
前記パイロット構造の表示を送信するステップであって、前記パイロット構造の前記表示が、前記少なくとも1つの別のPRBバンドルの前記PMIに対する前記PRBバンドルの前記PMIの前記変化の表示を含む、ステップと
を含む、方法。
【請求項１８】
パイロット密度が送信期間内で経時的に異なる別のパイロット構造を決定するステップと、
前記送信期間の始端における前記パイロット密度が、前記送信期間の後の部分における前記パイロット密度よりも高い、請求項17に記載の方法。
【請求項１９】
前記パイロット密度が、前記送信期間内の異なる送信時間間隔(TTI)によって異なる、請求項18に記載の方法。
【請求項２０】
前記パイロット密度がさらに、前記送信期間の間、周波数または送信電力に関して異なる、請求項18に記載の方法。
【請求項２１】
ビーム形成構成を変更するステップ
をさらに含み、
前記変更の結果として前記別のパイロット構造が決定される
請求項18に記載の方法。
【請求項２２】
前記パイロット構造が復調基準信号(DMRS)のためである、請求項17に記載の方法。
【請求項２３】
特定のパイロット構造が連続送信時間間隔(TTI)に関して指定されていると決定するステップと、
チャネル推定のために前のTTIからのパイロットが使用され得るという表示を送信するステップであって、前記表示が、特定のパイロット構造が連続TTIに関して指定されているという決定の結果として送信される、送信するステップと
をさらに含む、請求項17に記載の方法。
【請求項２４】
復調基準信号(DMRS)に関するトラフィック対パイロット比(TPR)を決定するステップと、
前記TPRの表示を送信するステップと
をさらに含む、請求項17に記載の方法。
【請求項２５】
少なくとも1つの物理リソースブロック(PRB)を含むPRBバンドルを特定することと、
少なくとも1つの別のPRBバンドルのプリコーディング行列インジケータ(PMI)に対する前記PRBバンドルに関連するPMIを変化させることと、
前記PMIの変化に応答して、前記PRBに関するパイロット構造を選択することであって、前記パイロット構造が前記PRBバンドルに均一に拡散されたパイロットを含む、ことと、
前記パイロット構造の表示を送信することであって、前記パイロット構造の前記表示が、前記少なくとも1つの別のPRBバンドルの前記PMIに対する前記PRBバンドルの前記PMIの前記変化の表示を含む、こと
のためのコードを含むコンピュータ実行可能コードを記憶している、非一時的コンピュータ可読記憶媒体。
【請求項２６】
パイロット密度が送信期間内で経時的に異なる別のパイロット構造を決定するためのコードをさらに含み、
前記送信期間の始端における前記パイロット密度が、前記送信期間の後の部分における前記パイロット密度よりも高い、請求項25に記載のコンピュータ可読記憶媒体。
【請求項２７】
ビーム形成構成を変更し、
前記変更の結果として前記別のパイロット構造を決定する
ためのコードをさらに含む、請求項26に記載のコンピュータ可読記憶媒体。
【請求項２８】
特定のパイロット構造が連続送信時間間隔(TTI)に関して指定されていると決定することと、
チャネル推定のために前のTTIからのパイロットが使用され得るという表示を送信することであって、チャネル推定のために前のTTIからのパイロットが使用され得るという前記表示が、特定のパイロット構造が連続TTIに関して指定されているという決定の結果として送信される、送信することと
を行うためのコードをさらに含む、請求項25に記載のコンピュータ可読記憶媒体。
【請求項２９】
復調基準信号(DMRS)に関するトラフィック対パイロット比(TPR)を決定し、
前記TPRの表示を送信する
ためのコードをさらに含む、請求項25に記載のコンピュータ可読記憶媒体。